(57)【要約】      （修正有）【課題】薄型融雪用パネルヒーターの一部に降雪感知センサーを組み込んで、降雪感知制御が出来るようにし、省エネ、安全性、耐久性を改善した装置。【解決手段】ＦＲＰ（強化プラスティック）等でパネル１を形成し、パネル内部に融雪用のヒーター２を配置し、パネル表面の一部に融雪水感知用電極とこの電極部に降雪があった場合に、降雪を溶かして融雪水を作り出すための面状の補助ヒーターをセットにした降雪センサー３を組込み、融雪用ヒーターの制御を行うコントローラーを有する融雪用パネルヒーター装置。【選択図】図１
0003100886.tif 000002
【実用新案登録請求の範囲】
【請求項１】
厚さ数ミリメートルの薄型で、一枚が０．５〜２平方メートル程度の面積のパネルヒーターの表面の一部に、厚さ２．０〜２．５ｍｍ程度の薄型の降雪感知センサーを組込み、降雪を感知して融雪用ヒーターの電源を制御するコントローラーを有する融雪用薄型パネルヒーター装置。
【考案の詳細な説明】
【技術分野】
【０００１】
本考案は、融雪用薄型パネルヒーターに、やはり薄型の降雪センサーを組み込み、降雪を感知して作動する省エネ型の融雪用パネルヒーター装置である。
【背景技術】
【０００２】
融雪用パネルヒーターは、後付型の融雪用ヒーターとして古くから販売されてきた。
通常は屋外のコンセントに付属のリードケーブルのキャップを差し込み、通電する方式のものであり、小面積の融雪を簡便に実施するための、小電力ヒーターであった。しかしその通電時間は、コンセントに差し込んでいる間は１００％通電で、実質上冬期間は差込を抜くことは殆どなく、常時通電となっていた。
【０００３】
このため小面積・小電力の融雪用ヒーターでありながら降雪のない場合でも通電し、通電時間が極めて長くなることから、電力の無駄遣いとなり、想像以上に多額の電気料金を支払うこととなっていた。  
【０００４】
さらには、降雪時期終了後に、コンセントから抜くことを忘れてしまい、春から夏にかけての周囲温度の上昇・太陽光の直射等により融雪用パネルヒーターが異常過熱する事故も数多く発生してきた。
【０００５】
この改善策としては降雪感知を行って融雪用パネルヒーターの電源を制御する方式が有効ではあるが、降雪感知センサーの小型・薄型の製品が少なく、且つ価格も高価であり、厚型のセンサー等を融雪用パネルヒーターに組み込もうとすると、融雪用パネルヒーターの厚さが数十ミリメートル以上と大きくなり、簡単に施工することが困難となるような製品になることから製品化されることはなかった。
【特許文献１】特開２００１−１２０２６
【特許文献２】特開平０８−２０１５３４
【考案の開示】
【考案が解決しようとする課題】
【０００６】
解決しようとする問題点は、薄型の融雪ヒーターおよび薄型の降雪感知センサーを、一枚の融雪用パネル内に組込、降雪を感知した時にヒーターの電源を投入し、降雪終了時に電源を切る装置を作ることであり、融雪面積に応じて融雪用パネルヒーターを順次接続していける方式とすることである。
【課題を解決するための手段】
【０００７】
本考案は、融雪用パネルヒーターをＦＲＰ（強化プラスティック）等の高強度・軽量の材料で制作することで、薄型、軽量で強度の高いパネルを作ることが出来、その内部にシート状の融雪用ヒーターを組み込み、表面の一部に厚さ１〜２ｍｍ程度の融雪水を感知する電極部と、その電極部に降雪があった場合に、雪を溶かして融雪水を作り出すために、電極部を予熱する面状の厚さ０．５〜１ｍｍ程度の補助ヒーターをセットにした降雪感知センサーを組み込んだ融雪用パネルヒーターを開発したことで、これに融雪用ヒーターの電源を、降雪感知センサーからの信号を得て制御するコントローラーを組み合わせ、融雪用パネルヒーターの簡便性を更に増進するとともに省エネと安全性、耐久性を改善することを実現した。
【考案の効果】
【０００８】
本考案の降雪センサー付き薄型融雪用パネルヒーター装置は、融雪が必要な場所に、いつでも簡単に設置出来る融雪用パネルヒーターに降雪感知センサーを組み込み、降雪時のみに融雪用ヒーターを作動させることにより、無駄な電力消費を無くすことが出来るとともに融雪用ヒーターの稼働時間を低減することから、ヒーターの寿命を延ばし、降雪時以外の時間にはヒーターを作動させないために過熱等の事故を防ぎ、安全性を高めることが出来るものである。
【考案を実施するための最良の形態】
【０００９】
パネルを薄型にするために、ＦＲＰ（強化プラスティック）等の材料を使用して、強度を取り、且つ軽量化を図るとともに降雪感知センサーに関しても、基幹材料としてガラスエポキシ基板を使用して薄型化を図り、その基板上の銅箔をエッチング加工して電極を形成し、且つ銅箔にニッケルメッキを施して耐久性を有する薄型降雪感知センサーを作り、
シート状の面状ヒーターを予熱ヒーターとすることで、センサー部の厚さを２〜２．５ｍｍ程度で製作し、融雪用ヒーターおよび降雪感知センサーを組み込んだパネルの厚さを数ミリメートルとすることが出来る。この融雪用薄型パネルヒーターの電源を制御するためのコントローラーを合わせて、融雪ヒーターシステムを構成することで目的を達成した。
【実施例１】
【００１０】
図１は、本考案装置の１実施例の断面図であり、図２はその上面図である。図中３の降雪感知センサーは融雪用ヒーターの上面に密着して組み込み、降雪感知センサーの表面が、図中１のＦＲＰ（強化プラスティック）外装材の表面と同一面になるようにしている。降雪感知センサー部の断面図が図４である。
【００１１】
このため降雪感知センサーの予熱ヒーターは、融雪用ヒーターが作動した場合でもセンサー部が過熱しないだけの発熱量に設定、もしくは融雪用ヒーターが作動する場合には予熱ヒーターの電源を切断するようにコントローラーを設定している。
【００１２】
本考案の降雪感知センサー付薄型パネルヒーターは、完全防水型であり、軽量であるために屋根の軒先部の上部に上乗せして、屋根融雪に使用したり、通路やベランダ等に敷くだけで容易に融雪が実施出来、さらにはパネルヒーターの両端に電源ケーブルを付けてあるために、融雪が必要な長さ、または面積に応じて、図６のように、降雪感知センサー付融雪パネルヒーター１枚と図５の降雪感知センサー無パネルヒーターを何枚かを並べて使用することが出来る。
【００１３】
電源ケーブルの一端は端末処理（絶縁処理）をして終端とし、他端はコントローラーに接続して電源を供給する。コントローラーには降雪感知センサーからの信号ケーブルも接続する。さらに降雪と降雨の判別を的確に行うための気温センサーを取り付ける。
【実施例２】
【００１４】
融雪用パネルヒーターを玄関ポーチや通路上に設置する場合に、パネルの厚さが必要な場合には融雪用ヒーターの裏面に断熱材を取付、図３のような断面とすることができる。
【産業上の利用可能性】
【００１５】
降雪感知センサーは、温度の設定を変更すると単なる水分センサーとしても使用することが出来るため、厨房の床のように、濡れるとスリップして転倒する危険のある場所等の床面乾燥ヒーターとしても利用出来る。  
【図面の簡単な説明】
【００１６】
【図１】降雪感知センサー付薄型融雪用パネルヒーター断面図（実施例１）
【図２】図１の上面図
【図３】図１の融雪用ヒーター裏面に断熱材を付けた場合の断面図（実施例２）
【図４】降雪感知センサー部断面図
【図５】降雪感知センサー無薄型融雪パネルヒーター上面図
【図６】実使用時の実施例図
【符号の説明】
【００１７】
１    ＦＲＰ（強化プラスティック）パネル外装
２    融雪用シート状ヒーター
３    降雪センサー部
４    断熱材
５    電源リードケーブル
６    降雪感知センサー信号ケーブル
７    融雪水感知電極
８    ガラスエポキシ基板
９    予熱ヒーター
１０  コントローラー
１１  電源ケーブル
１２  キャップ
１３  気温センサー
【図１】
0003100886.tif 000003
【図２】
0003100886.tif 000004
【図３】
0003100886.tif 000005
【図４】
0003100886.tif 000006
【図５】
0003100886.tif 000007
【図６】
0003100886.tif 000008